(57)【要約】      （修正有）【課題】骨の接合作業を円滑に行うことができる骨接合具を提供する。【解決手段】骨に挿入される中空棒状の本体２と、本体２の長手方向に進退可能なように本体２の内部に収容された駆動体３と、駆動体３の先端部に連結され、本体２の内部に収容された複数の固定ピン４とを備え、本体２の側壁には、複数の固定ピン４がそれぞれ通過可能な複数の貫通孔５が形成されており、複数の固定ピン４は、それぞれ、基端部が駆動体３の先端部に連結された状態で、駆動体３の進行により駆動体３の先端部を回動中心として回動し、貫通孔５から突出するように構成されている骨接合具１である。【選択図】図１
2010137016.tif 000002
【特許請求の範囲】
【請求項１】
骨を接合する骨接合具であって、
骨に挿入される中空棒状の本体と、
前記本体の長手方向に進退可能なように前記本体の内部に収容された駆動体と、
前記駆動体の先端部に連結され、前記本体の内部に収容された複数の固定ピンと、を備え、
前記本体の側壁には、前記複数の固定ピンがそれぞれ通過可能な複数の貫通孔が形成されており、
前記複数の固定ピンは、それぞれ、基端部が前記駆動体の先端部に連結された状態で、前記駆動体の進行により前記先端部を回動中心として回動し、前記貫通孔から突出するように構成されている骨接合具。
【請求項２】
前記駆動体は、前記本体の内部に螺入された軸部材と、当該軸部材に回転自在に連結された収容部材とを備えており、
前記固定ピンは、前記収容部材に形成された前記凹部に収容されている請求項１に記載の骨接合具。
【請求項３】
前記固定ピンは、湾曲しており、
前記貫通孔は、前記本体の長手方向に対して傾斜している請求項１又は２に記載の骨接合具。
【請求項４】
前記固定ピンの先端部が前記貫通孔に収容されている請求項１から３のいずれかに記載の骨接合具。
【請求項５】
前記駆動体の先端部には、複数の凹部が形成されており、
前記複数の固定ピンは、それぞれ、基端部が前記複数の凹部に収容され、当該凹部を回動中心として回動する請求項１から４のいずれかに記載の骨接合具。
【発明の詳細な説明】
【技術分野】
【０００１】
本発明は、骨を接合する骨接合具に関する。
【背景技術】
【０００２】
従来、骨を接合する骨接合具として、図１１に示すような骨接合具が知られていた（例えば、特許文献１参照）。
【０００３】
この骨接合具１００は、図１１に示すように、中空棒状の本体１０１と、本体１０１の内部に収容された駆動体１０２及び固定ピン１０３とを備えている。本体１０１は、駆動体１０２を収容する管腔１０７と、固定ピン１０３を収容するピン収容部１０８とを備えている。駆動体１０２は、基端部１０４にネジが形成されており、管腔１０７に螺入されることにより、本体１０１の長手方向に進退可能なように構成されている。また、駆動体１０２の先端部１０５にもネジが形成されている。固定ピン１０３は、湾曲した板状部材から形成されており、側面１０６にネジが形成されている。また、固定ピン１０３は、本体１０１のピン収容部１０８に配置され、駆動体１０２の先端部１０５に連結されている。駆動体１０２の先端部１０５と固定ピン１０３の側面１０６とは、ネジを介して互いに連結されており、これにより、駆動体１０２が本体１０１の内部（管腔１０７）に螺入されると、固定ピン１０３がネジの螺合によって矢示Ｙ方向に移動し、ピン収容部１０８から本体１０１の外部へ突出するように構成されている。
【０００４】
このような構成の骨接合具１００によれば、骨接合具１００を骨に挿入した後、駆動体１０２を管腔１０７に螺入することにより、固定ピン１０３をピン収容部１０８から本体１０１の外部へ突出させることによって骨に差し込む。これにより、骨接合具１００を骨に固定する。
【特許文献１】特開２００６−８１９１４号公報
【発明の開示】
【発明が解決しようとする課題】
【０００５】
しかし、上述の骨接合具１００では、固定ピン１０３を本体１０１の外部へ突出させるときに、固定ピン１０３がピン収容部１０８収容部の側壁に引っ掛り、固定作業をスムーズに行えないという問題があった。
【０００６】
また、骨接合具１００を使用した後、これを骨から抜き取ることがあるが、このとき、まず固定ピン１０３をピン収容部１０８に収容する。その際、従来の骨接合具１００では、固定ピン１０３がピン収容部１０８の側壁に引っ掛ることがあった。また、固定ピン１０３の側面１０６に形成されたネジが骨に引っ掛ることがあった。そのため、固定ピン１０３をスムーズにピン収容部１０８に収容することができず、骨接合具１００を骨から抜き取る作業が煩わしかった。
【０００７】
本発明は、上記問題を解決するためになされたものであって、骨の接合作業及び骨接合具の抜き取り作業を円滑に行うことができる骨接合具の提供を目的とする。
【課題を解決するための手段】
【０００８】
本発明に係る骨接合具は、上記の課題を解決するためになされたものであり、骨を接合する骨接合具であって、骨に挿入される中空棒状の本体と、前記本体の長手方向に進退可能なように前記本体の内部に収容された駆動体と、前記駆動体の先端部に連結され、前記本体の内部に収容された複数の固定ピンと、を備え、前記本体の側壁には、前記複数の固定ピンがそれぞれ通過可能な複数の貫通孔が形成されており、前記複数の固定ピンは、それぞれ、基端部が前記駆動体の先端部に連結された状態で、前記駆動体の進行により前記先端部を回動中心として回動し、前記貫通孔から突出するように構成されていることを特徴とする。
【０００９】
また、上記の構成において、前記駆動体は、前記本体の内部に螺入された軸部材と、当該軸部材に回転自在に連結された収容部材とを備えており、前記固定ピンは、前記収容部材に形成された前記凹部に収容されていることが好ましい。
【００１０】
また、前記固定ピンは、湾曲しており、前記貫通孔は、前記本体の長手方向に対して傾斜していることが好ましい。
【００１１】
また、前記固定ピンの先端部が前記貫通孔に収容されていることが好ましい。
【００１２】
また、前記駆動体の先端部には、複数の凹部が形成されており、前記複数の固定ピンは、それぞれ、基端部が前記複数の凹部に収容され、当該凹部を回動中心として回動することが好ましい。
【発明の効果】
【００１３】
本発明の骨接合具によれば、骨の接合作業及び骨接合具の抜き取り作業を円滑に行うことができる。
【発明を実施するための最良の形態】
【００１４】
以下、本発明の実施形態について添付図面を参照して説明する。図１は、本発明の一実施形態に係る骨接合具を一部断面で示す図である。
【００１５】
図１に示すように、骨接合具１は、中空棒状の本体２と、本体２の内部に収容された駆動体３と、駆動体３に連結された複数の固定ピン４とを備えている。
【００１６】
図２は、本体の側面図であり、図３は、本体の断面図である。図２及び図３に示すように、本体２は、骨に挿入可能な棒状体から構成されており、当該棒状体の内部を長手方向（軸方向）Ｘに沿ってくり抜くことにより形成された内腔２９を備えている。内腔２９は、円筒状に形成され、棒状体を長手方向に貫通しており、一端部から他端部に向かって段階的に縮径している。また、本体２は、長手方向Ｘに沿って一端部から他端部に向かって順に形成された基端部２０、中間部２１、及び、先端部２２を備えている。
【００１７】
基端部２０の内面には、ネジが形成されており、内部には、ストッパー１１が配置されている（図１参照）。ストッパー１１は、外面にネジが形成されており、基端部２０に螺入されている。
【００１８】
中間部２１の外面には、軸方向Ｘに沿って平面状に延びる平坦部２８が複数形成されている。また、中間部２１の内面の一端側には、ネジが形成されており、内部には、駆動体３及び固定ピン４が配置されている（図１参照）。
【００１９】
先端部２２は、軸方向Ｘに沿って先細に形成されており、その外面には、軸方向Ｘに沿って複数の溝２７が形成されている。溝２７は、細溝２７ａと、細溝２７ａより溝幅が広い太溝２７ｂとが先端部２２の周方向に沿って交互に配置されるように形成されている。
【００２０】
また、本体２の側壁には、固定ピン４が通過可能な貫通孔５が複数形成されている。本実施形態では、貫通孔５は、先端部２２の側壁に１つ、中間部２１と先端部２２との境界部分に２つ形成されている。貫通孔５の形成位置は、固定ピン４が通過可能であれば特に限定されず、適宜変更可能である。この貫通孔５は、長手方向Ｘに対して傾斜するように形成されている。また、貫通孔５の形状は、固定ピン４が通過可能であれば特に限定されず、断面が円形の孔や、楕円径の孔、扁平な角型の孔など、種々の形状にすることができる。
【００２１】
また、図１に示すように、駆動体３は、軸方向Ｘの一端側に配置された軸部材３ａと、他端側に配置され、軸部材３ａに連結された収容部材３ｂとを備えている。図４は、駆動体を一部断面で示す図である。軸部材３ａは、軸方向Ｘの一端側に配置されたヘッド部３０と、ヘッド部３０から軸方向Ｘの他端側に向かって延びるロッド部３１とを備えている。ヘッド部３０は、円筒体の外周面にネジが形成された構成であり、中間部２１の内部に螺入される。ヘッド部３０には、円筒体の内部を切り欠くことにより締付け穴３４が形成されている。この締付け穴３４は、図示しない公知の棒レンチが係合するように多角形に切り欠かれている。ロッド部３１は、円筒体から構成されており、先端部に係合部３２を備えている。係合部３２は、ロッド部３１より大径の円筒体から構成されており、この径の相違によって段部３３が形成されており、段部３３を介して収容部材３ｂに係合する。また、軸部材３ａは、軸方向Ｘに沿って内部を切り欠くことにより形成された案内孔５０を備えている。
【００２２】
収容部材３ｂは、円筒体から構成されており、この円筒体を切り欠くことにより形成されたロッド収容部３９及びピン収容凹部３８を備えている。ロッド収容部３９は、ロッド部３１及び係合部３２の形状に適合するように切り欠くことによって形成されており、これにより段部３７が形成されている。そして、ロッド収容部３９にロッド部３１及び係合部３２が収容された状態で、ロッド収容部３９の段部３７と、ロッド部３１の段部３３とがストッパーとして互いに当接することにより、軸部材３ａと収容部材３ｂとが接続される。また、ロッド収容部３９は、ロッド部３１及び係合部３２より大径に切り欠かれている。これにより、軸部材３ａと収容部材３ｂとは、ロッド部３１の軸を回転軸として互いに回転可能に連結されている。また、収容部材３ｂの内部には、図示しない案内孔が、軸方向Ｘに沿って延びるように形成されている。
【００２３】
ピン収容凹部３８は、後述の固定ピン４の基端部が収容可能なように弧状に切り欠くことにより形成されている。
【００２４】
また、図１に示すように、複数の固定ピン４は、短ピン４ａと、短ピン４ａより長い長ピン４ｂとに区分される。本実施形態では、２つの短ピン４ａと、１つの長ピン４ｂとに区分される。短ピン４ａ及び長ピン４ｂは、長さが異なるものの、同様の構成を備えている。
【００２５】
図５は、固定ピンの側面図である。図５に示すように、固定ピン４は、弓状に湾曲した板状部材から形成されており、上述のピン収容凹部３８に収容される基端部４０を備えている。固定ピン４の先端部は、先細に形成され、尖鋭になっている。また、固定ピン４は、板状部材の側面に湾曲した案内部４１を備えている。案内部４１は、滑らかな曲線を描くように湾曲している。
【００２６】
基端部４０は、弧状の外形を有しており、ピン収容凹部３８に収容される。基端部４０は、ピン収容凹部３８より小径に形成されており、これにより、固定ピン４は、基端部４０がピン収容凹部３８に収容された状態で、ピン収容凹部３８を回動中心として回動できる。
【００２７】
図６は、骨接合具を一部拡大して示す断面図である。図６において（ａ）は、短ピン４ａを特に拡大して示す図であり、（ｂ）は、長ピン４ｂを特に拡大して示す図である。図６に示すように、駆動体３が管腔２９内を前進すると、固定ピン４は、貫通孔５を通過して本体２の外部に突出する。固定ピン４が突出する方向は、軸方向Ｘに対する貫通孔５の傾斜角度により適宜変更可能である。本実施形態では、短ピン４ａが本体２の側方へ突出し、長ピン４ｂが斜め前方へ突出するように貫通孔５は角度付けられている。
【００２８】
以上のような骨接合具１の各構成部材の材質としては、生体親和性に優れた材質が好ましく、例えば、純チタン、チタン合金、コバルトニッケル合金等を好ましく用いることができる。
【００２９】
次に、以上のような構成を備える骨接合具１により骨を接合する方法を説明する。
【００３０】
まず、骨の接合箇所に骨接合具１を挿入する。骨接合具１を挿入するときは、例えば、接合箇所に図示しないガイドワイヤを予め挿入しておき、このガイドワイヤに、軸部材３ａの案内孔５０及び収容部材３ｂの案内孔を挿通させて、骨接合具１を接合箇所まで案内することができる。
【００３１】
次に、骨接合具１を挿入した状態で、図示しない棒レンチにより軸部材３ａを回転させることにより、軸部材３ａを本体２の内部に螺入してゆく。軸部材３ａが軸方向Ｘに進行すると、収容部材３ｂも軸方向に進行してゆく。このとき、軸部材３ａは軸を中心として回転しているが、軸部材３ａと収容部材３ｂとが互いに回転可能なように連結されているので、軸部材３ａの回転が収容部材３ｂに伝達されず、収容部材３ｂは回転しないまま、軸方向Ｘに進行してゆく。（軸部材３ａを逆回転させると、軸部材３ａ及び収容部材３ｂは退行してゆく。）収容部材３ｂが進行すると、固定ピン４も軸方向Ｘに進行し、この進行に伴って、固定ピン４の先端が貫通孔５に進入する。その後、収容部材３ｂの進行に伴い、固定ピン４が貫通孔５を通過して、本体２の外部へ突出する。図７は、骨接合具により骨を接合した状態を示す図である。図７に示すように、骨接合具１が骨に挿入された状態で、固定ピン４が本体２から突出することにより、骨接合具１は骨に固定される。
【００３２】
以上のような本実施形態に係る骨接合具１によれば、本体２の側壁に固定ピン４が通過可能な貫通孔５が形成されており、駆動体３の先端部にピン収容凹部３８が形成されており、固定ピン４の基端部４０がピン収容凹部３８に収容された状態で、駆動体３の進行により固定ピン４がピン収容凹部３８を回動中心として回動し、貫通孔５から突出するように構成されているので、固定ピン４の角度が貫通孔５の角度に一致し易く、固定ピン４がスムーズに貫通孔５に進入し、通過する。これにより、骨の接合作業を円滑に行うことができる。
【００３３】
また、固定ピン４が湾曲し、案内部４１を備えており、貫通孔５が軸方向Ｘに対して傾斜しているので、固定ピン４が貫通孔５にスムーズ案内される。したがって、接合作業が更に円滑になる。
【００３４】
以上、本発明の一実施形態について説明したが、本発明の具体的な態様は、上記実施形態に限定されるものではない。
【００３５】
例えば、上記実施形態では、ピン収容凹部３８及び基端部４０は弧状に形成されていたが、固定ピン４が回動可能であれば、形状は特に限定されない。また、固定ピン４の形状も特に限定されず、種々の形状にすることができる。
【００３６】
また、上記実施形態では、骨接合具１を骨に挿入するとき、固定ピン４が貫通孔５に挿入されておらず、本体２の管腔２９に収容されている構成であったが、これに限定されず、固定ピン４の先端部が予め貫通孔５に挿入されている構成であってもよい。このとき、固定ピン４の先端部は本体２の外部には突出しておらず、貫通孔５に収容されている。そして、骨接合具１を骨に挿入した後に、上述と同様に、駆動体３を本体２の長手方向Ｘに進行させることにより、固定ピン４を本体２から突出させる。このような構成でも固定ピン４を本体２の外部にスムーズに突出させることができる。
【００３７】
また、駆動体３の構成は、上記実施形態には限定されず、本体２の内部を長手方向に進退可能であれば種々の構成を採用することができる。図８は、他の実施形態に係る骨接合具を一部断面で示す図である。図８において、図１と同様の構成部分については、同一の符号を付して説明を省略する。また、図９は、他の実施形態に係る駆動体の断面図である。図９において、図４と同様の構成部分については、同一の符号を付して説明を省略する。図８及び図９に示すように、駆動体３は、軸部材３ａ及び収容部材３ｂを備えており、軸部材３ａは、ヘッド部３０及びロッド部３１を備えている。ヘッド部３０は、円筒体から構成されている。一方、ロッド部３１は、円筒体の外周面にネジが形成された構成である。収容部材３ｂは、円筒体から構成されており、この円筒体を切り欠くことにより形成されたロッド収容部３９を備えている。ロッド収容部３９の内壁面にはネジが形成されており、軸部材３ａのロッド部３１がロッド収容部３９に螺入されている。このように、ロッド部３１とロッド収容部３９とが螺合することにより、軸部材３ａと収容部材３ｂとは、ロッド部３１の軸を回転中心として互いに回転可能に連結され、軸部材３ａの動力が収容部材３ｂに伝達されるように構成されている。
【００３８】
また、収容部材３ｂには複数の固定ピン４が収容されており、各固定ピン４の先端部は貫通孔５に収容されている。このように、固定ピン４が貫通孔５に収容されることにより、収容部材３ｂの回転が規制されている。
【００３９】
また、本体２の基端部２には、ヘッド規制部２５及びストッパー収容部２６が形成されている。ヘッド規制部２５は、本体２の内部を切り欠くことにより形成された段部によって構成されており、この段部にヘッド部３０の端面が当接することにより、ヘッド部３０の軸方向Ｘへの移動が規制されている。ストッパー収容部２６は、本体２の内壁をリング上に切り欠くことにより形成され、ストッパー１１が収容されている。図１０は、ストッパーの平面図である。図１０に示すように、ストッパー１１は、平面視においてアルファベットのＣ型に形成され、中心部に挿入部２４を備えている。
【００４０】
このような構成を備える骨接合具１によれば、まず、骨接合具１を骨に挿入した後、図示しない棒レンチを軸部材３ａの締付け穴３４に挿入する。棒レンチは、ストッパー１１の挿入部２４を通過して締付け穴３４に挿入される。この状態で、軸部材３ａを、その軸方向を回転中心として回転させる。軸部材３ａが回転すると、回転の動力が収容部材３ｂに伝達される。このとき、軸部材３ａと収容部材３ｂとが螺合しているが、収容部材３ｂの回転が固定ピン４によって規制されているので、収容部材３ｂは回転せずに本体の長手方向Ｘに進行してゆく。このように、駆動体３のうち収容部材３ｂが本体２の長手方向Ｘに進行するように構成されている。収容部材３ｂが進行すると、この進行により、固定ピン４が貫通孔５から突出し、骨に刺入される。こうして、骨接合具１が骨に固定される。
【００４１】
また、軸部材３ａのロッド部３１の構成は上述の実施形態に限定されるものではない。図１２は、他の実施形態に係る骨接合具の断面図である。図１２に示すように、ロッド部３１は、拡径部３１ａと、拡径部３１ａより縮径された縮径部３１ｂとを備えている。縮径部３１ｂは、外周面にネジが形成されており、ロッド収容部３９に螺入されている。拡径部３１ａ及び縮径部３１ｂは、ロッド部３１の軸方向Ｘに沿って配置されており、両者の間には、径の相違により形成されたロッド段部３５が配置されている。このロッド段部３５に収容部材３ｂの端面３６が当接することにより、収容部材３ｂの軸方向Ｘの移動が規制される。このような構成によれば、拡径部３１ａの長さを調整して、ロッド段部３５の位置を調整することにより、収容部材３ｂの規制位置を調整することができる。これにより、例えば、ロッド段部３５の位置を調整することにより、収容部材３ｂの移動が規制されたときに、収容部材３ｂに連結された固定ピン４の先端部が貫通孔５内に収容されるように構成することができる。このような構成によれば、固定ピン４全体が内腔２９に完全に収容されず、先端部が貫通孔５に進入しているので、固定ピン４を本体２の外部にスムーズに突出させることができる。
【００４２】
また、上記実施形態では、本体２の先端部２２は、溝が形成されている構成であったが、この構成に限定されるものではなく、例えば、先端部２２の外面に螺旋状のネジが形成されていてもよい。
【００４３】
また、上記実施形態では、複数の貫通孔５は、全て本体２の先端部２２付近に形成されていたが、これらは、相互に異なる位置に形成されていてもよい。例えば、複数の貫通孔５の位置を長手方向Ｘに沿って相互にずらして形成してもよい。このような構成によれば、骨の接合位置に応じて、貫通孔５の位置を変えることにより、複数の固定ピン４が突出する位置を相互にずらすことができる。これにより、骨の接合位置に応じて、骨接合具１を確実に固定することができる。
【００４４】
また、上記実施形態では、固定ピン４の基端部４０がピン収容凹部３８に収容されることにより、固定ピン４が回動する構成であったが、固定ピン４が回動可能であれば、この構成は特に限定されない。図１３は、更に他の実施形態に係る収容部材及び固定ピンの拡大図である。また、図１４は、図１３における収容部材を一端側から見た図である。図１４では、図１３における矢示Ｚ方向に収容部材を見た図を示している。図１３及び図１４に示すように、収容部材３ｂは、先端部から突出する支持体４２を備えている。支持体４２は、三角柱状に形成されており、側面には、側方に突出する突起状の回動軸４３が複数設けられている。複数の回動軸４３は、三角柱状の支持体４２の各側面に設けられている。また、固定ピン４の基端部４０には、回動孔４４が形成されている。そして、回動軸４３が回動孔４４に挿入されることにより、固定ピン４が収容部材３ｂに対して回動可能に連結されている。
【００４５】
また、図１５は、更に他の実施形態に係る収容部材及び固定ピンの拡大図である。また、図１６は、図１５のＣ−Ｃ断面図である。図１５及び図１６に示すように、収容部材３ｂは、先端部から突出する一対の支持突起４５、４５を備えている。一対の支持突起４５、４５は、互いに間隔をあけて設置されており、両者の間には、棒状の回動軸４６が設置されている。そして、固定ピン４の回動孔４４に回動軸４６が挿入されることにより、固定ピン４が収容部材３ｂに対して回動可能に連結されている。このような構成によれば、固定ピン４を収容部材３ｂの先端部の中心部に連結できるので、収容部材３ｂを細くすることができる。これにより、骨接合具１全体を細くすることができる。
【図面の簡単な説明】
【００４６】
【図１】本発明の一実施形態に係る骨接合具を一部断面で示す図である。
【図２】本体の側面図である。
【図３】本体の断面図である。
【図４】駆動体を一部断面で示す図である。
【図５】固定ピンの側面図である。
【図６】骨接合具を一部拡大して示す断面図である。
【図７】骨接合具により骨を接合した状態を示す図である。
【図８】他の実施形態に係る骨接合具を一部断面で示す図である。
【図９】他の実施形態に係る駆動体の断面図である。
【図１０】ストッパーの平面図である。
【図１１】従来の骨接合具の断面図である。
【図１２】更に他の実施形態に係る骨接合具の断面図である。
【図１３】更に他の実施形態に係る収容部材及び固定ピンの拡大図である。
【図１４】図１３における収容部材を一端側から見た図である。
【図１５】更に他の実施形態に係る収容部材及び固定ピンの拡大図である。
【図１６】図１６は、図１５のＣ−Ｃ断面図である。
【符号の説明】
【００４７】
１  骨接合具
２  本体
３  駆動体
３ａ  軸部材
３ｂ  収容部材
４  固定ピン
５  貫通孔
３８  ピン収容凹部
４０  基端部
【図１】
2010137016.tif 000003
【図２】
2010137016.tif 000004
【図３】
2010137016.tif 000005
【図４】
2010137016.tif 000006
【図５】
2010137016.tif 000007
【図６】
2010137016.tif 000008
【図７】
2010137016.tif 000009
【図８】
2010137016.tif 000010
【図９】
2010137016.tif 000011
【図１０】
2010137016.tif 000012
【図１１】
2010137016.tif 000013
【図１２】
2010137016.tif 000014
【図１３】
2010137016.tif 000015
【図１４】
2010137016.tif 000016
【図１５】
2010137016.tif 000017
【図１６】
2010137016.tif 000018